(57)【要約】【課題】スイッチ付きタッチパッドを有し、その使用による誤作動を防止する電子機器及びこれを有する放送受信システムを提供する。【解決手段】実施形態によれば、放送受信システムは、電子機器と、放送受信装置を有する。前記電子機器は、第１のタッチパッドと、第２のタッチパッドと、基板と、位置決め手段とを有する。前記第１のタッチパッドは、表面に第１の入力面を備える。前記第２のタッチパッドは、前記第１のタッチパッドの前記第１の入力面と連続的に擦動操作が可能な第２の入力面を表面に備え、前記第２の入力面が前記第１の入力面を囲むように配置されている。前記基板は、前記第１のタッチパッドと対向する位置に配置され、前記第１のタッチパッドの押下入力を検出する第１の検出手段と、前記第２のタッチパッドと対向する位置に配置され、前記擦動操作による入力を検出する第２の検出手段を有する。前記位置決め手段は、前記第２のタッチパッドと前記基板とを位置決めをする。前記放送受信装置は、前記電子機器で操作する。【選択図】    図７
2011258217.tif 000002
【特許請求の範囲】
【請求項１】
表面に第１の入力面を備える第１のタッチパッドと、
前記第１のタッチパッドの前記第１の入力面と連続的に擦動操作が可能な第２の入力面を表面に備え、前記第２の入力面が前記第１の入力面を囲むように配置された第２のタッチパッドと、
前記第１のタッチパッドと対向する位置に配置され、前記第１のタッチパッドの押下入力を検出する第１の検出手段と、前記第２のタッチパッドと対向する位置に配置され、前記擦動操作による入力を検出する第２の検出手段とを有する基板と、
前記第２のタッチパッドと前記基板とを位置決めする位置決め手段と、
を有する電子機器と、
前記電子機器で操作する放送受信装置と、
を有する放送受信システム。
【請求項２】
前記第２のタッチパッドと前記第２の検出手段の間に弾性部材を配置する請求項１記載の放送受信システム。
【請求項３】
前記弾性部材と前記第２の検出手段を固定する請求項２記載の放送受信システム。
【請求項４】
前記弾性部材と前記第２の検出手段を両面接着部材で接着する請求項２記載の放送受信システム。
【請求項５】
前記弾性部材と前記第１の検出手段の間を固定しない請求項２記載の放送受信システム。
【請求項６】
前記基板は、前記第２のタッチパッドの所定部位における押下入力を検出する第３の検出手段を有する請求項１記載の放送受信システム。
【請求項７】
前記第３の検出手段は前記弾性部材と固定されていない請求項６記載の放送受信システム。
【請求項８】
表面に第１の入力面を備える第１のタッチパッドと、
前記第１のタッチパッドの前記第１の入力面と連続的に擦動操作が可能な第２の入力面を表面に備え、前記第２の入力面が前記第１の入力面を囲むように配置された第２のタッチパッドと、
前記第１のタッチパッドと対向する位置に配置され、前記第１のタッチパッドの押下入力を検出する第１の検出手段と、前記第２のタッチパッドと対向する位置に配置され、前記擦動操作による入力を検出する第２の検出手段とを有する基板と、
前記第２のタッチパッドと前記基板とを位置決めする位置決め手段と、
表示部と、
を有する電子機器。
【請求項９】
前記第２のタッチパッドと前記第２の検出手段の間に弾性部材を配置する請求項８記載の電子機器。
【請求項１０】
前記弾性部材と前記第２の検出手段を固定する請求項９記載の電子機器。
【請求項１１】
前記弾性部材と前記第２の検出手段を両面接着部材で接着する請求項９記載の電子機器。
【請求項１２】
前記弾性部材と前記第１の検出手段の間を固定しない請求項９記載の電子機器。
【請求項１３】
前記基板は、前記第２のタッチパッドの所定部位における押下入力を検出する第３の検出手段を有する請求項８記載の電子機器。
【請求項１４】
前記第３の検出手段は前記弾性部材と固定されていない請求項１３記載の電子機器。
【発明の詳細な説明】
【技術分野】
【０００１】
この発明は、スイッチ付きタッチパッドを設けた電子機器及びこれを有する放送受信システムに関する。
【背景技術】
【０００２】
周知のように、近年のデジタルテレビジョン放送受信装置は高機能化、多機能化している。これに伴い、放送受信装置を操作するリモートコントローラの操作キーは増加している。
【０００３】
さらに、放送受信装置はネットワークを介して外部機器と接続されている。ユーザは、放送受信装置にリモートコントローラを用いて操作を入力することで外部機器に対して連動操作できる。さらに、ユーザは、放送受信装置でインターネットを利用することもできる。ユーザは、リモートコントローラを用いて放送受信装置の表示部に表示されたポインタの移動及び文字入力を操作する。このように、ユーザが放送受信装置の表示部に表示された画面上で自由な操作をするには、操作キーのみが設けられたリモートコントローラでは不便である。
【０００４】
特許文献１には、複数の電子機器に対して遠隔操作できるリモートコントロール装置であって、操作対象機器を設定可能とする構成が開示されている。
【先行技術文献】
【特許文献】
【０００５】
【特許文献１】特開２００５−１９１６９５号公報
【発明の概要】
【発明が解決しようとする課題】
【０００６】
しかしながら、特許文献１の構成では、複数の電子機器に対する遠隔操作の利便性は向上するが、操作キーは複雑な操作には適していない。
【０００７】
そこで、この発明は、スイッチ付きタッチパッドを有し、その使用による誤作動を防止する電子機器及びこれを有する放送受信システムを提供することを目的とする。
【課題を解決するための手段】
【０００８】
実施形態によれば、放送受信システムは、電子機器と、放送受信装置を有する。前記電子機器は、第１のタッチパッドと、第２のタッチパッドと、基板と、位置決め手段とを有する。前記第１のタッチパッドは、表面に第１の入力面を備える。前記第２のタッチパッドは、前記第１のタッチパッドの前記第１の入力面と連続的に擦動操作が可能な第２の入力面を表面に備え、前記第２の入力面が前記第１の入力面を囲むように配置されている。前記基板は、前記第１のタッチパッドと対向する位置に配置され、前記第１のタッチパッドの押下入力を検出する第１の検出手段と、前記第２のタッチパッドと対向する位置に配置され、前記擦動操作による入力を検出する第２の検出手段を有する。前記位置決め手段は、前記第２のタッチパッドと前記基板とを位置決めをする。前記放送受信装置は、前記電子機器で操作する。
【発明の効果】
【０００９】
上記した発明によれば、スイッチ付きタッチパッドを有し、その使用による誤作動を防止するタッチパッドが設けられた電子機器及びこれを有する放送受信システムを提供できる。
【図面の簡単な説明】
【００１０】
【図１】実施形態に係るリモートコントローラの概観を示す上面図。
【図２】実施形態に係るリモートコントローラに用いられるプリント基板の上面図。
【図３】実施形態に係るリモートコントローラに用いられるラバーの上面図。
【図４】実施形態に係るリモートコントローラに用いられるシールの上面図及び側面図。
【図５】実施形態に係るリモートコントローラに用いられるプリント基板とラバーを接着した状態を示す上面図。
【図６】実施形態に係るリモートコントローラに用いられるタッチパッドの上面図。
【図７】実施形態に係るリモートコントローラにおける図１のＸ−Ｘ断面図。
【発明を実施するための最良の形態】
【００１１】
以下、図面を参照し、本実施形態について説明する。図１は本実施形態に係るリモートコントローラ１０の概観を示す上面図である。リモートコントローラ１０は、矩形状の筐体２０内部から複数の操作キーが突出している。操作キーは、例えば視聴チャンネルを選択するチャンネルキー１０ａである。ユーザは、操作キーを押下することで操作指示を入力する。リモートコントローラ１０の通常の使用状態における操作キーが突出した面を上面、対向する面を下面と定義する。さらに、リモートコントローラ１０の電源キー１０ｂが設けられている側を前側、逆側を後側と定義する。
【００１２】
リモートコントローラ１０の上面側には、さらに、タッチパッド６０、決定キー７０が設けられている。タッチパッド６０は、静電容量式の静電パッドである。タッチパッド６０の上面側、つまり、ユーザが直接指でなぞって操作する部分は非誘電素材で覆われている。タッチパッド６０と筐体２０は、別部材で構成されている。タッチパッド６０と筐体２０は、互いにリモートコントローラ１０の内部で係合している。
【００１３】
決定キー７０は、決定選択に用いられる。決定キー７０は、筐体２０の上面側から突出して設けられている。タッチパッド６０の上面と決定キー７０の上面は、ほぼ同じ水平面に属している。
【００１４】
タッチパッド６０は、上面が矩形状である。タッチパッド６０の中心部分に決定キー７０が設けられている。タッチパッド６０と決定キー７０は、別部材で構成されている。タッチパッド６０と決定キー７０は、互いにリモートコントローラ１０の内部で係合している。
【００１５】
タッチパッド６０の４辺それぞれの中央かつ端部は、方向キー（押しボタン）となっている。方向キーは、カーソルの移動に用いられる。決定キー７０を中心とした前側は上方向キー６０ａ、後側には下方向キー６０ｂ、左側には左方向キー６０ｃ、右側には右方向キー６０ｄである。方向キーは、ユーザによる押下によって上下方向に可動である。つまり、方向キーは、タッチパッド６０の領域内に設けられている。
【００１６】
タッチパッド６０は、カーソル移動、文字入力、ページ切換などのジェスチャーパターンの入力に用いられる。タッチパッド６０は、タッチパッド６０の領域内のみならず、方向キーを含めたタッチパッド６０の領域及び決定キー７０の領域を含めた領域を連続してユーザが指でなぞった軌跡も検出する。つまり、ユーザは、方向キーを含めたタッチパッド６０の領域及び決定キー７０の領域を含めた領域でジェスチャーパターンを入力できる。
【００１７】
次に、リモートコントローラ１０の内部構造について説明する。図２は、リモートコントローラ１０に用いられるプリント基板３０の概観を示す上面図である。プリント基板３０には、例えばチャンネルキー用メタルドーム３０ａ，静電パッド用電極３０ｂ，決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇが設けられている。
【００１８】
チャンネルキー用メタルドーム３０ａは、チャンネルキー１０ａの押下に応じて入力を検出する検出モジュールである。チャンネルキー用メタルドーム３０ａは、プリント基板３０から上面側に半球状に突出している。その他のメタルドームについても同様である。メタルドームの数は、図１に示す操作キーの数に対応している。
【００１９】
タッチパッド用電極３０ｂは，方向キーを含めたタッチパッド６０の領域及び決定キー７０の領域を含めた領域におけるジェスチャーパターンの軌跡を検出する検出モジュール（第２の検出手段）である。タッチパッド用電極３０ｂの領域は、対向するタッチパッド６０とほぼ同じ大きさである。決定キー用メタルドーム３０ｃは、決定キー７０の押下に応じて入力を検出する検出モジュール（第１の検出手段）である。上方向キー用メタルドーム３０ｄは、上方向キー６０ａの押下に応じて入力を検出する検出モジュール（第３の検出手段）である。下方向キー用メタルドーム３０ｅは、下方向キー６０ｂの押下に応じて入力を検出する検出モジュール（第３の検出手段）である。左方向キー用メタルドーム３０ｆは、左方向キー６０ｃの押下に応じて入力を検出する検出モジュール（第３の検出手段）である。右方向キー用メタルドーム３０ｇは、右方向キー６０ｄの押下に応じて入力を検出する検出モジュール（第３の検出手段）である。
【００２０】
決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇは、タッチパッド用電極３０ｂの領域に設けられている。
【００２１】
タッチ動作や押下動作を検出する検出モジュールは、プリント基板３０上に設けられている。また、これらの検出モジュールは、決定キー７０下部、タッチパッド６０、左右上下方向キー６０ａ〜６０ｄ下部に配置されている。
【００２２】
図３は、リモートコントローラ１０に用いられるラバー４０（弾性部材）の概観を示す上面図である。ラバー４０は、プリント基板３０の上面に配置する。ラバー４０は、例えばシリコンラバーである。ラバー４０は、ラバー４０がプリント基板３０の上面に配置された状態で、プリント基板３０に設けられたメタルドームを全て覆う大きさである。本実施形態では、ラバー４０はプリント基板３０とほぼ同じ大きさで、プリント基板３０を全面に渡って覆っている。
【００２３】
ラバー４０の上面には、チャンネルキー１０ａなどの操作キーが接着されている。操作キーは、ラバー４０がプリント基板３０の上面に配置された状態で、対応するメタルドームと対向する位置でラバー４０に接着されている。ユーザは、例えばチャンネルキー３０ａを押下した場合にラバー４０の弾性によってクリック感を得られる。
【００２４】
さらに、ラバー４０は、ラバー４０がプリント基板３０の上面に配置された状態で、タッチパッド用電極３０ｂの領域も覆う。これは、タッチパッド用電極３０ｂの領域内にラバー４０で覆う必要のある決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇが設けられているためである。
【００２５】
したがって、本実施形態のような方向キー付きのタッチパッド６０ａが設けられたリモートコントローラ１０を安価に製作する場合、タッチパッド６０及びタッチパッド用電極３０ｂと対向する位置にもラバー４０を設ける必要がある。
【００２６】
ここで、プリント基板３０、ラバー４０、タッチパッド６０の順で単純に配置した場合、タッチパッド６０は、静電容量が変化して誤作動するおそれがある。誤作動の原因は、プリント基板３０とラバー４０の間にできる気泡が操作キーの押下によって不規則に移動するためである。他の原因としては、ラバー４０そのものが操作キーの押下によって変形、移動してしまうからである。したがって、タッチパッド６０の静電容量が変則的に変動するので、ユーザはタッチパッド６０を正しく操作できない可能性がある。
【００２７】
そこで、本実施形態では、プリント基板３０とラバー４０を接着固定している。プリント基板３０とラバー４０は、接着剤を用いて固定できる。この場合、接着剤の塗りむらはリモートコントローラ１０の誤作動の原因となる。そこで、接着の簡易性及び正確性の点でさらに好ましい実施形態として、プリント基板３０とラバー４０とをシール５０（両面接着部材）を用いて固定することができる。
【００２８】
図４は、シール５０の概観を示す上面図及び側面図である。シール５０は、プリント基板３０のタッチパッド用電極３０ｂの領域とこれと対向するラバー４０を接着する部材である。シール５０は、タッチパッド用電極３０ｂの領域とほぼ同じ大きさである。シール５０は、両面接着可能な均一の厚さの薄膜シールである。また、シール５０は、前後、左右方向に直交した十字に開孔が設けられている。さらに、シール５０は、上方向キー用メタルドーム３０ｄ（同様に下方向キー用メタルドーム３０ｅ、左方向キー用メタルドーム３０ｆ、右方向キー用メタルドーム３０ｇ）部分の開孔の大きさよりも決定キー用メタルドーム３０ｃ部分の開孔の大きさが大きい。これは、方向キーに比べて決定キー７０を特に押下げる必要があるためである。
【００２９】
このシール５０の開孔は、シール５０をタッチパッド用電極３０ｂの領域と接着した場合、タッチパッド用電極３０ｂの領域内に設けられている決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇを覆わないためのものである。例えば、決定キー用メタルドーム３０ｃとプリント基板３０を接着すると、ユーザが決定キー７０を押下した場合のクリック感が低下するためである。他のメタルドーム部分についても同様である。
【００３０】
シール５０の形状はプリント基板３０のタッチパッド用電極３０ｂの領域とラバー４０を固定できれば図４に示す形状に限られない。また、シール５０の開孔の形状は、決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇを覆わない形状であれば十字状に限られない。
【００３１】
シール５０は、プリント基板３０のタッチパッド用電極３０ｂの領域とラバー４０の間を水平面に渡って均一の厚さで接着する。
【００３２】
図５は、プリント基板３０とラバー４０をシール５０で接着した状態であって、ラバー４０の一部を切り欠いた概観を示す上面図である。ラバー４０は、シール５０によってタッチパッド用電極３０ｂの領域のみでプリント基板３０と接着している。さらに、タッチパッド用電極３０ｂの領域内に設けられている決定キー用メタルドーム３０ｃ、上方向キー用メタルドーム３０ｄ、下方向キー用メタルドーム３０ｅ、左方向キー用メタルドーム３０ｆ、右方向キー用メタルドーム３０ｇは、シール５０を介さずにラバー４０と対向している。
【００３３】
図６は、リモートコントローラ１０に用いられるタッチパッド６０の概観を示す上面図である。図６は、図５に示すシール５０を用いてプリント基板３０と接着したラバー４０の上面に、タッチパッド６０及び決定キー７０を配置した図である。タッチパッド６０は表面に入力面を備え、決定キー７０も表面に入力面を備える。決定キー７０は、タッチパッド６０と同様にその表面はタッチパッドとして機能する。タッチパッド６０と決定キー７０は、連続的に擦動操作が可能である。タッチパッド６０の入力面は、決定キー７０の入力面を囲むように配置されている。
【００３４】
タッチパッド６０は、タッチパッド用電極３０ｂの領域と対向して配置されている。上方向キー６０ａは、上方向キー用メタルドーム３０ｄと対向して配置されている。下方向キー６０ｂ、左方向キー６０ｃ、右方向キー６０ｄについても同様である。決定キー７０も決定キー用メタルドーム３０ｃと対向して配置されている。
【００３５】
図７は、リモートコントローラ１０における図１のＸ−Ｘ断面図である。タッチパッド６０の端部は、筐体２０によってその内部に嵌め込まれている。つまり、タッチパッド６０の端部は、ラバー４０と筐体２０によって挟まれた状態である。筐体２０は、タッチパッド６０とプリント基板３０との間を位置決めしている。図７は、タッチパッド６０の左方向キー６０ｃ側及び右方向キー６０ｄ側の端部について図示しているが、上方向キー６０ａ側及び下方向キー６０ｂ側の端部についても同様である。したがって、ユーザが方向キーを押下した場合、筐体２０にその動作を妨げられることなく上下に可動する。
【００３６】
決定キー７０の端部は、タッチパッド６０によって筐体２０内部に嵌め込まれている。つまり、決定キー７０の端部は、ラバー４０とタッチパッド６０によって挟まれた状態である。筐体２０及びタッチパッド６０は、決定キー７０とプリント基板３０との間を位置決めしている。図７は、決定キー７０の左右側の端部について図示しているが、前後側の端部についても同様である。したがって、ユーザが決定キー７０を押下した場合、タッチパッド６０にその動作を妨げられることなく独立して上下に可動する
本実施形態によれば、操作キー付きのタッチパッド６０の領域と対向する位置のラバー４０とプリント基板３０が接着固定されている。したがって、ユーザは正確にタッチパッド６０を操作することができる。さらに、タッチパッド６０の領域と対向する位置のラバー４０とプリント基板３０であっても、方向キーと対向する上方向キー用メタルドーム３０ｄ、下方向キー用メタルドーム３０ｅ、左方向キー用メタルドーム３０ｆ、右方向キー用メタルドーム３０ｇ、決定キー７０と対向する決定キー用メタルドーム３０ｃ部分は接着固定されていない。したがって、ユーザは方向キー及び決定キー７０を押下した場合のクリック感を得ることができる。
【００３７】
本実施形態では、タッチパッド６０を搭載したリモートコントローラ１０について説明したがこれに限られない。リモートコントローラ１０が有線式であっても無線式であってもよい。さらに、本実施形態は、例えばタッチパッド６０及び表示部を一体として設けた小型機器にも適用できる。
【００３８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００３９】
１０…リモートコントローラ、１０ａ…チャンネルキー、２０…筐体、３０…プリント基盤、３０ａ…チャンネルキー用メタルドーム、３０ｂ…タッチパッド用電極、３０ｃ…決定キー用メタルドーム、３０ｄ…上方向キー用メタルドーム、３０ｅ…下方向キー用メタルドーム、３０ｆ…左方向キー用メタルドーム、３０ｇ…右方向キー用メタルドーム、４０…ラバー、５０…シール、６０…タッチパッド、７０…決定キー。
【図１】
2011258217.tif 000003
【図２】
2011258217.tif 000004
【図３】
2011258217.tif 000005
【図４】
2011258217.tif 000006
【図５】
2011258217.tif 000007
【図６】
2011258217.tif 000008
【図７】
2011258217.tif 000009